(57)【要約】      （修正有）【課題】室内等に設置する簡易便器をゆれることがなく安定に使用出来るようにする脚部取付構造の提供。【解決手段】本体枠２の左右側板２Ａ内側に取付けられる脚部２Ｉは基板２１Ｉと脚板２２Ｉとからなり、脚板には複数個のボルト孔２３Ｉが縦設され、左右側板内側には一対の縦ガイド桟２４Ｉが取付けられ、縦ガイド桟間には覆板２５Ｉが差掛けられて脚板の取付部２６Ｉが構成され、縦ガイド桟の内辺間隔は脚板の横巾Ｗに略等しく設定され、縦ガイド桟の厚みｄは脚板の厚みに略等しく設定され、取付部に脚板をそれぞれ挿入し、便器本体枠の左右側板の所定個所に設けられているボルト貫通孔２Ｊを介して外側からボルト２Ｋを脚板のボルト孔２３Ｉのうちの選択された一つに螺着することによって脚部は便器本体枠に上下位置調節可能に取付けられている。【選択図】    図５
2006087725.tif 000002
【特許請求の範囲】
【請求項１】
簡易便器の本体枠の左右側板内側に取付けられる脚部であって、該脚部は基板と、該基板から立設される脚板とからなり、該脚板には複数個のボルト孔が縦設されており、該左右側板内側には一対の縦ガイド桟が取付けられており、該縦ガイド桟間には覆板が差掛けられて該脚部の脚板の取付部が構成され、該縦ガイド桟の内辺間隔は該脚部の脚板の横巾に略等しく設定され、該縦ガイド桟の厚みは該脚部の該脚板の厚みに略等しく設定され、該取付部に該脚部の脚板をそれぞれ挿入し、該便器本体枠の左右側板の所定個所に設けられているボルト貫通孔を介して外側からボルトを該脚部の脚板のボルト孔のうちの選択された一つに螺着することによって該脚部は該便器本体枠に上下位置調節可能に取付けられていることを特徴とする簡易便器における脚部取付け構造。
【請求項２】
該脚板は該基板から前後一対立設されており、該一対の縦ガイド桟は該左右側板の前後部にそれぞれ取付けられている請求項１に記載の簡易便器における脚部取付け構造。
【請求項３】
該覆板は一方の縦ガイド桟に固定されるかまたは両方の縦ガイド桟に差渡され両方の縦ガイド桟に固定されるか、または左右に二分割されて両方の縦ガイド桟に各々固定される請求項１または２に記載の簡易便器における脚部取付け構造。
【請求項４】
該覆板は該縦ガイド桟と一体的に形成されている請求項１または２に記載の簡易便器における脚部取付け構造。
【請求項５】
該便器本体枠と該脚部とはそれぞれ木製である請求項１〜４に記載の簡易便器における脚部取付け構造。
【発明の詳細な説明】
【技術分野】
【０００１】
本発明は主として病人、老人、身体障害者等が室内で使用する簡易便器の脚部取付け構造に関するものである。
【背景技術】
【０００２】
この種の簡易便器にあっては、使用者の体形によって高さが調節出来るようにされているものがある。上記高さ調節可能な簡易便器にあっては、便器本体の左右の側板に脚部を取付ける際、該脚部の取付け位置を上下調節可能にする。
該脚部は基板と、該基板の前後に立設される脚板（支柱）とからなり、該脚板に複数個のボルト孔を縦設し、該便器本体の左右側板のボルト貫通孔を介して外側からボルトを該脚部の脚板のボルト孔のうち選ばれた一つに螺着することによって、該脚部は該便器本体左右側板に上下位置調節可能に取付けられる（例えば特許文献１参照）。
【０００３】
【特許文献１】特開２００３−２９００７６号公報
【発明の開示】
【発明が解決しようとする課題】
【０００４】
上記従来構成にあっては、脚部の脚板がボルト１個で固定されているため、左右前後に動き易く、便器の使用中に便器がゆれて不安定になると云う問題点がある。
【課題を解決するための手段】
【０００５】
本発明は上記従来の課題を解決するための手段として、簡易便器１の本体枠２の左右側板２Ａ内側に取付けられる脚部２Ｉであって、該脚部２Ｉは基板２１Ｉと、該基板２１Ｉから立設される脚板２２Ｉとからなり、該脚板２２Ｉには複数個のボルト孔２３Ｉが縦設されており、該左右側板２Ａ内側には一対の縦ガイド桟２４Ｉが取付けられており、該縦ガイド桟２４Ｉ間には覆板２５Ｉが差掛けられて該脚部２Ｉの脚板２１Ｉの取付部２６Ｉが構成され、該縦ガイド桟２４Ｉの内辺間隔は該脚部２Ｉの脚板２１Ｉの横巾Ｗに略等しく設定され、該縦ガイド桟２４Ｉの厚みｄは該脚部２Ｉの該脚板２１Ｉの厚みに略等しく設定され、該取付部２６Ｉに該脚部２Ｉの脚板２１Ｉをそれぞれ挿入し、該便器本体枠２の左右側板２Ａの所定個所に設けられているボルト貫通孔２Ｊを介して外側からボルト２Ｋを該脚部２Ｉの脚板２１Ｉのボルト孔２３Ｉのうちの選択された一つに螺着することによって該脚部２Ｉは該便器本体枠２に上下位置調節可能に取付けられている簡易便器１における脚部取付け構造を提供するものである。
該脚板は該基板から前後一対立設されており、該一対の縦ガイド桟は該左右側板の前後部にそれぞれ取付けられていることが望ましく、該覆板２５Ｉは一方の縦ガイド桟２４Ｉに固定されるかまたは両方の縦ガイド桟２４Ｉに差渡され両方の縦ガイド桟２４Ｉに固定されるか、または左右に二分割されて両方の縦ガイド桟２４１Ｉ，２４１Ｉに各々固定される。また該覆板２５２Ｉは該縦ガイド桟２４２Ｉと一体的に形成されていてもよい。
該便器本体枠２と該脚部２Ｉとはそれぞれ木製であることが望ましい。
【発明の効果】
【０００６】
〔作用〕
該脚部２Ｉの前後の脚板２２Ｉ，２２Ｉを、該便器本体枠２の左右の側板２Ａ，２Ａの前後の取付部２６Ｉ，２６Ｉにそれぞれ挿入する。このようにして該脚部２Ｉは該便器本体枠２の左右の側板２Ａ，２Ａのボルト孔２３Ｉのうちの選ばれた一つに螺着する。このようにして該脚部２Ｉは該便器本体枠２の左右の側板２Ａ，２Ａの内側に上下位置調節可能に取付けられる。
この状態で該脚部２Ｉの脚板２２Ｉは両側の縦ガイド桟２４Ｉ，２４Ｉによって前後方向の動きを阻止され、覆板２５Ｉによって左右方向の動きを阻止される。
【０００７】
〔効果〕
したがって本発明の簡易便器では、使用者の体形によって高さが調節出来、また脚部の脚板の動きが前後左右に阻止され固定されているから、使用中に便器がゆれることがなく、安定に使用される。
【発明を実施するための最良の形態】
【０００８】
本発明を図１〜図２２に示す一実施例によって説明する。
図１に示すように、本実施例の簡易便器１は、便器本体枠２、有底汚水受け３、スライド支持枠４、シャワーユニット６を後端に配した便座５、便容器７および物入れ８とからなる。該便器本体枠２のみは木製とされ、その他の部材３，４，５，６，７，８は合成樹脂製とされる。
【０００９】
〔便器本体枠２〕
該便器本体枠２は左右側板２Ａ，２Ａと、該左右側板２Ａ，２Ａの後端から立設される背もたれ枠２Ｂ，２Ｂと、該左右側板２Ａ，２Ａの前端に差渡され、前方に凸に彎曲している前面板２Ｃと、該左右側板２Ａ，２Ａの後端部上部に差渡されている横梁２Ｄと、該横梁２Ｄの下側において該左右側板２Ａ，２Ａに差渡されている背面板２Ｅとからなり、該左右側板２Ａ，２Ａの内側上部には支持梁２Ｆ，２Ｆが前後方向に沿って取付けられている。そして該横梁２Ｄには左右一対の嵌合孔２１Ｄ，２１Ｄが設けられている。
【００１０】
該便器本体枠２の左右には肘掛け２Ｇ，２Ｇが取付けられており、該肘掛け２Ｇ，２Ｇは根端部を該左右側板２Ａ，２Ａに支持されている支柱２１Ｇ，２１Ｇと、前端部を該支柱２１Ｇ，２１Ｇに、後端部を該左右側板２Ａ，２Ａの背もたれ枠２Ｂ，２Ｂに支持されている肘掛け本体２２Ｇ，２２Ｇとからなる。
更に該左右背もたれ枠２Ｂ，２Ｂの上端部には、背もたれクッション２Ｈが差出されている。
【００１１】
該左右側板２Ａ，２Ａには図３に示すような脚部２Ｉが取付けられている。該脚部２Ｉは基板２１Ｉと、該基板２１Ｉから立設されている前後一対の脚板２２Ｉ，２２Ｉとからなり、該脚板２２Ｉ，２２Ｉにはボルト孔２３Ｉ，２３Ｉが複数個（７個）縦設されている。
【００１２】
図４に示すように、該左右側板２Ａ，２Ａの内面には前後にそれぞれ一対の縦ガイド桟２４Ｉ，２４Ｉが取付けられており、図５に示すように該縦ガイド桟２４Ｉ，２４Ｉの内辺間隔Ｗは該脚部２Ｉの横巾に略等しく設定されており、更に該縦ガイド桟２４Ｉ，２４Ｉの厚みｄは脚板２２Ｉの厚みに略等しく設定されており、また縦ガイド桟２４Ｉ，２４Ｉの一方には覆板２５Ｉが取付けられている。該覆板２５Ｉは該一対の縦ガイド桟２４Ｉ，２４Ｉに差渡されてもよい。
【００１３】
上記一対の縦ガイド桟２４Ｉ，２４Ｉと覆板２５Ｉとによって該脚部２Ｉの脚板２２Ｉ，２２Ｉの取付部２６Ｉが構成され、該脚部２Ｉの脚板２２Ｉ，２２Ｉは該取付部２６Ｉに挿入される。そして便器本体枠２が所望の高さになるように該脚板２２Ｉ，２２Ｉのボルト孔２３Ｉのうちの一つを選び、図６に示すように左右側板２Ａ，２Ａに設けられたボルト貫通孔２Ｊを介して外側からボルト２Ｋを螺着し固定する。この状態で該脚部２Ｉの脚板２２Ｉは左右前後のぶれを縦ガイド桟２４Ｉと覆板２５Ｉとによって阻止され、該脚部２Ｉは該便器本体枠２にがたつきのないように取付けられる。
このようにして該便器本体枠２は脚部２Ｉの脚板２２Ｉのボルト孔２３Ｉの数だけ段階的に高さを調節することが出来る。
【００１４】
〔有底汚水受け３〕
有底汚水受け３は有底の汚水受け本体３Ａと、該本体３Ａの上縁左右前後に差出されている縁部３１Ａ，３１Ｂ，３１Ｃ，３１Ｄとからなり、後端縁部３１Ｄには左右一対の取付け筒３Ｂ，３Ｂが下方に向けて差出されており、該取付け筒３Ｂ，３Ｂは該便器本体枠２の横梁２Ｄの嵌合孔２１Ｄ，２１Ｄにそれぞれ嵌合されるようになっている。また前端縁部３１Ａの中央部は若干凹ませて後記するスライド支持枠４を前方へ引出す際の手掛り凹部３２Ａとされている。更に該本体３Ａ内周上部後半にはスライド支持枠４を支持する支持段部３Ｃが形成されており、該支持段部３Ｃの両前端は該スライド支持枠４のスライドを規制するための係止斜面３Ｄがそれぞれ形成されている。
【００１５】
〔スライド支持枠４〕
スライド支持枠４の枠本体４Ａの内側には便容器７の挿入孔４Ｂが設けられており、該枠本体４Ａの前端両側には平面三角形状の凸部４Ｃ，４Ｃが突設されており、該枠本体４Ａの両側部後半部下面は該有底汚水受け３の支持段部３Ｃの係止斜面３Ｄに当接するようにされている係止段部４Ｄ，４Ｄが形成されている。また該枠本体４Ａの内周前半部には便容器７を懸架支持するための受け溝４Ｅが設けられ、後半部には受け段部４Ｆが形成されている。
【００１６】
〔シャワーユニット６付便座５〕
該スライド支持枠４の上側にはシャワーユニット６付便座５が載置されるが、該シャワーユニット６のシャワー機構はハウジング６Ａ内に収納されており、該シャワーユニットハウジング６Ａの前縁部には便座５の根端が枢着され、かくして該便座５は跳ね上げ可能とされている。
【００１７】
図１４に示すように、該シャワーユニット６のハウジング６Ａの底部からは左右一対の取付棒６Ｂ，６Ｂが下方に向けて差出されており、該取付棒６Ｂ，６Ｂは該有底汚水受け３の後端縁部３１Ｄの取付け筒３Ｂ，３Ｂにそれぞれ内挿されるようになっている。
なお便座５の一方の側部にはリモコンセンサ５Ａが具備されている。
【００１８】
〔便容器７〕
該便容器７は本体７Ａと、図７イ、ロに示す該本体７Ａの上縁に設けられているコの字形折曲げフランジ７Ｂと、該本体７Ａに枢着されている把手７Ｃと、該本体７Ａに被着される蓋７Ｄとからなる。
【００１９】
〔物入れ８〕
該物入れ８には水タンク収容部８Ａと、便容器７の蓋７Ｄの収容部８Ｂと、消臭剤等の容器入れ部８Ｃとが設けられており、前部にはコの字形の取付け部８Ｄが設けられている。
【００２０】
〔組立て〕
上記部材により簡易便器１の組立て方を説明する。
まず図８に示すように物入れ８を該便器本体枠２の背面板２Ｅに取付ける。該物入れ８を該背面板２Ｅに取付けるには、該物入れ８の取付部８Ｄを該背面板２Ｅに外側嵌合する。
【００２１】
次いで図９、図１０、図１１に示すように該便器本体枠２の上から該有底汚水受け３を挿入懸架する。該有底汚水受け３の後端縁部３１Ｄの取付け筒３Ｂ，３Ｂは該便器本体枠２の横梁２Ｄの嵌合孔２１Ｄ，２１Ｄに嵌着され、前端縁部３１Ａは該便器本体枠２の前面板２Ｃの上縁に支持される。
【００２２】
図１２に示すように該有底汚水受け３の上にはスライド支持枠４が載置される。該スライド支持枠４の両側部後半部下面と後端縁部３１Ｄ下面とは該有底汚水受け３の支持段部３Ｃ上に支持され、該スライド支持枠４の前縁部下面が該有底汚水受け３の前端縁部３１Ａ上に支持されている。
【００２３】
図１３、図１４に示すように、該スライド支持枠４内には便容器７が挿入懸架される。該便容器７は本体７Ａ上縁の折曲げフランジ７Ｂを該スライド支持枠４の内周前半部の受け溝４Ｅに係止し、更に後半部の受け段部４Ｆに当接支持させる。
【００２４】
図１３、図１４に示すように、該スライド支持枠４の上側には便座５を載置する。該便座５は前記したようにシャワーユニット６のハウジング６Ａの前縁部に枢着され、跳ね上げ可能になっている。図１５に示されるように該シャワーユニット６のハウジング６Ａの底部の取付棒６Ｂ，６Ｂは、該有底汚水受け３の後端縁部３１Ｄの取付け筒３Ｂ，３Ｂにそれぞれ内挿される。該便座５を載置した状態で該スライド支持枠４の凸部４Ｃ，４Ｃの上面と該便座５の上面とが同一レベルになり段差が解消される。
【００２５】
図１６には便容器７に蓋７Ｄを被着した状態の簡易便器１が示される。そして図１７に示すように該便座５の上には座部９が載置され、この状態では該簡易便器１は椅子として機能する。図１８には物入れ８の水タンク収容部８Ａに水タンク１０を収容し、更に容器入れ部８Ｃに消臭剤容器１１等を入れた状態が示される。
【００２６】
本簡易便器１は図１９に示すように便座５を前倒してスライド支持枠４上に配置した状態で使用する。使用後はリモコンスイッチ１２を適当な方角に向けてシャワースイッチを押すと、リモコンスイッチ１２から発射された信号光は、図２０に示すように室内の壁、天井、家具等に反射して床面Ｆに至り、該床面Ｆに反射されて肘掛け本体２２Ｇに当たり更に反射される。この場合該肘掛け本体２２Ｇの少なくともセンサ５Ａ上方の底面２３Ｇを内側に高くなるように傾斜させておくと、該底面２３Ｇから反射された信号光はセンサ５Ａ方向に指向され、センサ５Ａの感度が向上する。該肘掛け本体２２Ｇの底面２３Ｇは、該肘掛け本体２２Ｇ全長にわたって傾斜されてもよいし、センサ５Ａ上方に位置する個所のみ傾斜されてもよい。また該肘掛け本体２２Ｇの底面２３Ｇにアルミ箔等の金属箔を張ったり、アルミニウムペースト、銀ペースト等の金属ペーストを塗布して反射面とすると、センサ５Ａの感度は一層向上する。該肘掛け本体２２Ｇの底面２３Ｇの傾斜角度θは８°〜１２°の範囲に設定することが望ましく、更に最適角度はθ＝１０°である。
【００２７】
使用中の糞尿、洗浄水等が便容器７からあふれても、これら汚物は有底汚水受け３に受止されるので室内床等の汚染は確実に防止される。
【００２８】
使用後は便座５を跳ね上げ状態とし、汚物の入った便容器７を把手７Ｃを介して簡易便器１から取出し、汚物を常設便所等の廃棄場所まで運んで廃棄する。上記便容器７を簡易便器１から取出す場合、図１４に示すようにシャワーユニット６の前端部分が干渉してこのまゝでは便容器７が取出せない。そこでスライド支持枠４を該有底汚水受け３の手掛り凹部３２Ａを手がかりとして図２１、図２２に示すように前方へ引き出す。そうすると、該スライド支持枠４に懸架支持されている便容器７もスライド支持枠４と共に前方へ移動してシャワーユニット６に干渉されることなく、上方へ引出すことが出来る。
【００２９】
最前位置で該スライド支持枠４の下面の係止段部４Ｄが、有底汚水受け３の支持段部３Ｃの係止斜面３Ｄに当接し、これ以上前にスライドしないようになっている。
【００３０】
上記簡易便器１を部材毎に分解するには、上記したように便容器７を簡易便器１から取出し、シャワーユニット６の取付棒６Ｂ，６Ｂを有底汚水受け３の取付け筒３Ｂ，３Ｂから抜き出して便座５と共にシャワーユニット６をスライド支持枠４上から撤去し、次いでスライド支持枠４を有底汚水受け３上から撤去し、更に該有底汚水受け３の取付け筒３Ｂ，３Ｂを便器本体枠２の横梁２Ｄの嵌合孔２１Ｄ，２１Ｄから抜き出し、該有底汚水受け３を該便器本体枠２から撤去する。更に物入れ８の取付け部８Ｄを便器本体枠２の背面板２Ｅからはずして、該物入れ８を取はずす。
【００３１】
本発明では、上記実施例以外、物入れ８は有底汚水受け３と一体的に設けてもよい。
【００３２】
図２３には他の実施例が示される。本実施例にあっては基板２１Ｉから一枚の脚板２２１Ｉのみが立設され、該脚板２２１Ｉの前後には複数個（７個）のボルト孔２３Ｉ，２３Ｉが縦設され、該脚板２２１Ｉは前後縁を縦ガイド桟２４１Ｉと覆板２５１Ｉとによって支持されている。
【００３３】
図２４には更に他の実施例が示される。本実施例にあっては、覆板２５２Ｉ，２５２Ｉは左右に二分割され、縦ガイド桟２４２Ｉ，２４２Ｉとそれぞれ一体的に構成され、段面Ｌ字形状を形成している。
【産業上の利用可能性】
【００３４】
本発明の簡易便器は、使用中に左右前後にゆれることがなく安定しているので、室内等に設置して老人、病人、身障者等が安全に使用出来る。
【図面の簡単な説明】
【００３５】
図１〜図２２は本発明の一実施例を示すものである。
【図１】分解斜視図
【図２】便器本体枠後側斜視図
【図３】脚部斜視図
【図４】便器本体枠中央側断面図
【図５】脚部取付構造説明斜視図
【図６】脚部取付構造説明正断面図
【図７】イ．便容器本体斜視図          ロ．折り曲げフランジ部断面図
【図８】便器本体枠に物入れを取付けた状態の後側斜視図
【図９】便器本体枠に有底汚水受けを挿入懸架した状態の後側斜視図
【図１０】便器本体枠に有底汚水受けを挿入懸架した状態の側断面図
【図１１】便器本体枠に有底汚水受けを挿入懸架した状態の前側斜視図
【図１２】有底汚水受け上にスライド支持枠を載置した状態の側断面図
【図１３】スライド支持枠に便容器を挿入懸架し更に便座とシャワーユニットを載置した状態の正断面図
【図１４】スライド支持枠に便容器を挿入懸架し更に便座とシャワーユニットを載置した状態の側断面図
【図１５】シャワーユニット取付け状態説明図
【図１６】便座シャワーユニット取付け状態斜視図
【図１７】座部を載置した状態の斜視図
【図１８】物入れに水タンク等を収納した状態の後側斜視図
【図１９】便器使用状態の説明斜視図
【図２０】リモコン操作説明図
【図２１】スライド支持枠を前方に引出した状態の側断面図
【図２２】スライド支持枠を前方に引出した状態の斜視図
【図２３】他の実施例の斜視図
【図２４】更に他の実施例の斜視図
【符号の説明】
【００３６】
１        簡易便器
２        便器本体枠
２Ａ      側板
２Ｂ      背もたれ枠
２Ｃ      前面板
２Ｄ      横梁
２１Ｄ    嵌合孔
２Ｅ      背面板
２Ｆ      支持梁
２Ｇ      肘掛け
２１Ｇ    支柱
２２Ｇ    肘掛け本体
２３Ｇ    底面
２Ｈ      背もたれクッション
２Ｉ      脚部
２１Ｉ    基板
２２Ｉ，２２１Ｉ    脚板
２３Ｉ    ボルト孔
２４Ｉ，２４１Ｉ，２４２Ｉ    縦ガイド桟
２５Ｉ，２５１Ｉ，２５２Ｉ    覆板
２６Ｉ    取付部
２Ｊ      ボルト貫通孔
２Ｋ      ボルト
３        有底汚水受け
３Ａ      本体
３１Ａ，３１Ｂ，３１Ｃ，３１Ｄ    縁部
３Ｂ      取付け筒
３Ｃ      支持段部
３Ｄ      係止斜面
３２Ａ    手掛り凹部
４        スライド支持枠
４Ａ      枠本体
４Ｂ      挿入孔
４Ｃ      凸部
４Ｄ      係止段部
４Ｅ      受け溝
５        便座
５Ａ      リモコンセンサ
６        シャワーユニット
６Ａ      ハウジング
６Ｂ      取付棒
７        便容器
７Ａ      本体
７Ｂ      折曲げフランジ
７Ｃ      把手
７Ｄ      蓋
８        物入れ
８Ａ      水タンク収容部
８Ｂ      便容器蓋の収容部
８Ｃ      容器入れ部
８Ｄ      取付部（係合部）
９        座部
１０      水タンク
１１      消臭剤容器
１２      リモコンスイッチ
【図１】
2006087725.tif 000003
【図２】
2006087725.tif 000004
【図３】
2006087725.tif 000005
【図４】
2006087725.tif 000006
【図５】
2006087725.tif 000007
【図６】
2006087725.tif 000008
【図７】
2006087725.tif 000009
【図８】
2006087725.tif 000010
【図９】
2006087725.tif 000011
【図１０】
2006087725.tif 000012
【図１１】
2006087725.tif 000013
【図１２】
2006087725.tif 000014
【図１３】
2006087725.tif 000015
【図１４】
2006087725.tif 000016
【図１５】
2006087725.tif 000017
【図１６】
2006087725.tif 000018
【図１７】
2006087725.tif 000019
【図１８】
2006087725.tif 000020
【図１９】
2006087725.tif 000021
【図２０】
2006087725.tif 000022
【図２１】
2006087725.tif 000023
【図２２】
2006087725.tif 000024
【図２３】
2006087725.tif 000025
【図２４】
2006087725.tif 000026